(57)【要約】【課題】光ディスクの種類によらず、光ピックアップの対物レンズを光ディスクに衝突させることなく、合焦点を記録層に的確に到達させることができる光ディスク駆動装置を提供する。【解決手段】不揮発性メモリ１２は、アクチュエータ３６を駆動するための駆動データとアクチュエータ３６の変位とを対応させた駆動データ変位特性テーブル１２０を保持している。制御部１１は、レーザ光Ｌｚの合焦点が光ディスク１の表面に達したことを検出したときの駆動データに対応するアクチュエータ３６の変位を、駆動データ変位特性テーブル１２０を参照して求める。制御部１１は、求めた変位に所定の値を加算した加算値に対応する駆動データを駆動データ変位特性テーブル１２０を参照して求め、対物レンズ３１を光ディスク１に近付ける際の上限値として設定する。【選択図】図１
2012243342.tif 000002
【特許請求の範囲】
【請求項１】
光ディスクに対して照射するレーザ光を発光するレーザ発光部と、
前記レーザ光を前記光ディスクに集光させる対物レンズと、
前記対物レンズを前記光ディスクに対して近付く方向及び離れる方向に変位させるアクチュエータと、
前記レーザ光の合焦点が前記光ディスクの表面に達したことを検出する検出部と、
前記アクチュエータを駆動するための複数の駆動データと、それぞれの駆動データに基づいて前記アクチュエータを駆動したときの前記アクチュエータの変位の値とを対応させた駆動データ変位特性テーブルを保持するテーブル保持部と、
前記検出部が前記レーザ光の合焦点が前記光ディスクの表面に達したことを検出したときの駆動データに対応する前記アクチュエータの変位の値を、前記駆動データ変位特性テーブルを参照して求めると共に、前記変位の値に所定の値を加算した加算値に対応する駆動データを前記駆動データ変位特性テーブルを参照して求め、前記対物レンズを前記光ディスクに近付ける際の上限値として設定する設定部と、
前記設定部で設定した上限値を上限として前記アクチュエータによって前記対物レンズを変位させて、フォーカスサーチを実行させるフォーカスサーチ実行部と、
を備えることを特徴とする光ディスク駆動装置。
【請求項２】
前記光ディスクは複数種類の光ディスクの内のいずれかであり、
前記設定部は、前記光ディスクの種類に応じた値を前記変位の値に加算して加算値を求める
ことを特徴とする請求項１記載の光ディスク駆動装置。
【請求項３】
前記光ディスクからの前記レーザ光の反射光を検出する光検出器を備え、
前記検出部は、前記光検出器による光検出信号の総和信号に基づいて前記レーザ光の合焦点が前記光ディスクの表面に達したことを検出する
ことを特徴とする請求項１または２に記載の光ディスク駆動装置。
【発明の詳細な説明】
【技術分野】
【０００１】
本発明は、光ディスクに対して情報を記録したり、光ディスクに記録された情報を再生したりする光ディスク駆動装置に関する。
【背景技術】
【０００２】
光ディスク駆動装置においては、光ディスクに対する記録または再生の動作時に、光ピックアップから発せられたレーザ光を記録層にフォーカスさせるフォーカス引き込み動作を安定させることが必要である。光ディスクには反りがあったり、光ディスクを保持する保持部材に傾きがあったりするため、光ディスクの回転時には光ディスクが面振れすることがある。光ディスクが面振れしたとしても、光ピックアップの対物レンズが光ディスクに接触しないようにすることが必要である。
【０００３】
特許文献１には、フォーカス引き込み動作を安定させるための一手法が記載されている。特許文献２には、面振れしている光ディスクにレンズを接触させることなく、最も奥に位置する記録層に対して安定したフォーカス引込み動作を行うための一手法が記載されている。
【先行技術文献】
【特許文献】
【０００４】
【特許文献１】特開平６−７６３０６号公報
【特許文献２】特開２００８−１７６８５２号公報
【発明の概要】
【発明が解決しようとする課題】
【０００５】
光ディスクの種類は多様化し、コンパクトディスク（以下、ＣＤと略記する）やＤＶＤの他に、ブルーレイディスク（以下、ＢＤと略記する）も一般的になってきている。ＣＤとＤＶＤは光ディスクの表面と記録層との間の距離がＢＤと比較的して長く、ＢＤは光ディスクの表面と記録層との間の距離がＣＤ，ＤＶＤと比較的して短い。光ディスク駆動装置がいずれの光ディスクを記録または再生する場合でも、対物レンズが光ディスクに衝突することなく、合焦点を記録層に的確に到達させることが求められる。
【０００６】
特許文献２に記載の発明によれば、ＢＤの場合にはレンズが光ディスクに接触せず、合焦点が記録層に到達するようにフォーカスサーチの範囲を規制することができる。しかしながら、ＣＤ，ＤＶＤの場合には、光ディスクの表面と記録層との間の距離がＢＤと比較して長く、光ピックアップを駆動するアクチュエータの変位特性がリニアでないことから、対物レンズが光ディスクに衝突したり、合焦点が記録層に到達しなかったりする可能性がある。
【０００７】
本発明はこのような問題点に鑑み、光ディスクの種類によらず、光ピックアップの対物レンズを光ディスクに衝突させることなく、合焦点を記録層に的確に到達させることができる光ディスク駆動装置を提供することを目的とする。
【課題を解決するための手段】
【０００８】
本発明は、上述した従来の技術の課題を解決するため、光ディスク（１）に対して照射するレーザ光（Ｌｚ）を発光するレーザ発光部（３２〜３４）と、前記レーザ光を前記光ディスクに集光させる対物レンズ（３１）と、前記対物レンズを前記光ディスクに対して近付く方向及び離れる方向に変位させるアクチュエータ（３６）と、前記レーザ光の合焦点が前記光ディスクの表面に達したことを検出する検出部（１１）と、前記アクチュエータを駆動するための複数の駆動データと、それぞれの駆動データに基づいて前記アクチュエータを駆動したときの前記アクチュエータの変位の値とを対応させた駆動データ変位特性テーブル（１２０）を保持するテーブル保持部（１２）と、前記検出部が前記レーザ光の合焦点が前記光ディスクの表面に達したことを検出したときの駆動データに対応する前記アクチュエータの変位の値を、前記駆動データ変位特性テーブルを参照して求めると共に、前記変位の値に所定の値を加算した加算値に対応する駆動データを前記駆動データ変位特性テーブルを参照して求め、前記対物レンズを前記光ディスクに近付ける際の上限値として設定する設定部（１１）と、前記設定部で設定した上限値を上限として前記アクチュエータによって前記対物レンズを変位させて、フォーカスサーチを実行させるフォーカスサーチ実行部（５，６，１１）とを備えることを特徴とする光ディスク駆動装置を提供する。
【０００９】
上記の構成において、前記光ディスクは複数種類の光ディスクの内のいずれかであり、前記設定部は、前記光ディスクの種類に応じた値を前記変位の値に加算して加算値を求めることが好ましい。
また、上記の構成において、前記光ディスクからの前記レーザ光の反射光を検出する光検出器（３５）を備え、前記検出部は、前記光検出器による光検出信号の総和信号に基づいて前記レーザ光の合焦点が前記光ディスクの表面に達したことを検出することが好ましい。
【発明の効果】
【００１０】
本発明の光ディスク駆動装置によれば、光ディスクの種類によらず、光ピックアップの対物レンズを光ディスクに衝突させることなく、合焦点を記録層に的確に到達させることが可能となる。
【図面の簡単な説明】
【００１１】
【図１】本発明の光ディスク駆動装置の一実施形態を示すブロック図である。
【図２】アクチュエータ駆動電圧とアクチュエータ変位との関係を示す特性図である。
【図３】一実施形態の動作を説明するためのフローチャートである。
【図４】変形例の動作を説明するためのフローチャートである。
【発明を実施するための形態】
【００１２】
＜一実施形態＞
図１において、光ディスク１はクランパ（保持部材）２によって回転自在に保持されている。本実施形態において、光ディスク１はＣＤ，ＤＶＤ，ＢＤのいずれかである。光ピックアップ３は、光ディスク１に対してレーザ光Ｌｚを照射する。光ピックアップ３は、レーザ光Ｌｚを集光させる対物レンズ３１と、ＣＤを記録再生する際のレーザ光Ｌｚを発光するＣＤレーザ発光部３２と、ＤＶＤを記録再生する際のレーザ光Ｌｚを発光するＤＶＤレーザ発光部３３と、ＢＤを記録再生する際のレーザ光を発光するＢＤレーザ発光部３４とを有する。ここでは、記録再生としたが、本実施形態の光ディスク駆動装置は、再生専用の装置であってもよく、記録再生を行う装置であってもよい。
【００１３】
ＣＤを記録再生するレーザ光Ｌｚの波長は７８０ｎｍ、ＤＶＤを記録再生するレーザ光Ｌｚの波長は６５０ｎｍ、ＢＤを記録再生するレーザ光Ｌｚの波長は４０５ｎｍである。ＣＤレーザ発光部３２，ＤＶＤレーザ発光部３３，ＢＤレーザ発光部３４は、記録再生する光ディスク１の種類に応じてサーボ回路５からの選択信号に応じていずれか１つが選択されて発光する。なお、図１では、対物レンズ３１を１つのみ示しているが、実際には、ＣＤ，ＤＶＤ用のレーザ光Ｌｚを集光させる対物レンズと、ＢＤ用のレーザ光Ｌｚを集光させる対物レンズとを別々に有する。
【００１４】
光ピックアップ３は、光検出器３５とアクチュエータ３６とを有する。光ディスク１からのレーザ光Ｌｚの反射光は光検出器３５に入射されて電気信号に変換される。光検出器３５は例えば光検出素子が４分割された４分割素子よりなる。
【００１５】
光検出器３５より出力された電気信号は誤差検出回路４に入力され、公知の演算方法によってフォーカス誤差信号Ｓfe及びトラッキング誤差信号Ｓteが生成される。これらの誤差信号Ｓfe，Ｓteはサーボ回路５に入力される。サーボ回路５は、誤差信号Ｓfe，Ｓteに基づいてアクチュエータ駆動電圧を生成してアクチュエータ駆動回路６に供給する。アクチュエータ駆動回路６は、アクチュエータ駆動電圧に応じてアクチュエータ３６を駆動する。アクチュエータ３６は、フォーカス誤差信号Ｓfeが最小となるように対物レンズ３１をフォーカス方向（光ディスク１の面と直交する方向）に駆動し、トラッキング誤差信号Ｓteが最小となるように対物レンズ３１をトラッキング方向（トラックと直交する方向）に駆動する。
【００１６】
これにより、レーザ光Ｌｚは光ディスク１のトラックを正確にトレースする。誤差検出回路４からは、光検出器３５の４分割素子からの総和信号ＡＳとして再生ＲＦ信号Ｓrfが出力される。
【００１７】
スピンドル駆動モータ７は光ディスク１を所定の回転数で回転させる。光ディスク１は線速度一定で回転される。サーボ回路５は、光ディスク１の記録または再生しているトラックに対応した回転数となるようスピンドル駆動回路８を制御する。スピンドル駆動回路８は、光ディスク１をトラックに対応した回転数で回転させるようスピンドル駆動モータ７を駆動する。
【００１８】
スレッド駆動モータ９は、光ピックアップ３を光ディスク１の半径方向に移動させるよう駆動する。サーボ回路５は、光ディスク１の記録または再生するトラックに対応させてレーザ光Ｌｚを照射するようスレッド駆動回路１０を制御する。スレッド駆動回路１０は、光ディスク１の記録または再生するトラック上にレーザ光Ｌｚが照射されるようスレッド駆動モータ９を駆動する。
【００１９】
誤差検出回路４から出力された再生ＲＦ信号Ｓrf（総和信号ＡＳ）は、制御部１１に入力される。制御部１１は例えばマイクロコンピュータによって構成することができる。制御部１１には、不揮発性メモリ１２とメモリ１３とが接続されている。不揮発性メモリ１２には、制御部１１を動かすためのソフトウェア（コンピュータプログラム）、サーボ回路５で使用されるサーボ調整値、その他各種の情報が記憶されている。制御部１１は、入力された再生ＲＦ信号Ｓrfを復調したり、各種の信号処理を行ったりする際にメモリ１３を用いる。
【００２０】
不揮発性メモリ１２には、アクチュエータ３６を駆動するためのデジタル値である駆動データFDOとアクチュエータ３６の変位を示す値とを対応させた駆動データ変位特性テーブル１２０が保持されている。不揮発性メモリ１２は、駆動データ変位特性テーブル１２０を保持するテーブル保持部である。駆動データ変位特性テーブル１２０を保持させる場所は不揮発性メモリ１２に限定されるものではない。制御部１１は、駆動データ変位特性テーブル１２０から所定の駆動データFDOを読み出してサーボ回路５に供給する。サーボ回路５は、駆動データFDOをアナログのアクチュエータ駆動電圧に変換してアクチュエータ駆動回路６に供給する。アクチュエータ駆動回路６は、アクチュエータ駆動電圧に応じてアクチュエータ３６を駆動する。
【００２１】
なお、駆動データFDOに基づいたアクチュエータ駆動電圧は、フォーカス引き込み制御を行う際に使用される。
【００２２】
図２を用いて、駆動データ変位特性テーブル１２０について説明する。前述のように、駆動データ変位特性テーブル１２０は、デジタル値である駆動データFDOとアクチュエータ３６の変位を示す値とを対応させたものであるが、理解を容易にするため、図２ではアクチュエータ駆動電圧とアクチュエータ３６の変位との関係を示している。横軸はアクチュエータ駆動電圧（Ｖ）、縦軸はアクチュエータ変位（ｍｍ）である。駆動データFDOとアクチュエータ３６の変位との関係も、図２と同様の特性である。
【００２３】
光ディスク１がＤＶＤの場合、光ディスク１の表面を検出した時点から約０．３６ｍｍだけ対物レンズ３１を上昇させると合焦点が記録層に達する。ＤＶＤの場合、表面から記録層までは約０．６ｍｍであり、光ディスク１の材料であるポリカーボネートの屈折率から、約０．３６ｍｍと決まる。図２において、アクチュエータ駆動電圧０．０Ｖで表面を検出したとすると、そのときのアクチュエータ変位は０．０ｍｍであるから、合焦点が記録層に達するには対物レンズ３１を＋０．３６ｍｍまで変位させる必要がある。図２より、対物レンズ３１を０．０ｍｍから＋０．３６ｍｍまで変位させるアクチュエータ駆動電圧は＋０．２Ｖとなる。
【００２４】
また、アクチュエータ駆動電圧−１．０Ｖで表面を検出したとすると、そのときのアクチュエータ変位は−０．９５ｍｍであるから、合焦点が記録層に達するには対物レンズ３１を−０．５９ｍｍまで変位させる必要がある。図２より、対物レンズ３１を−０．９５ｍｍから−０．５９ｍｍまで変位させるアクチュエータ駆動電圧は＋０．６Ｖとなる。このように、光ディスク１の表面を検出した時点のアクチュエータ変位によって、その後に加えるべき電圧が大きく異なることになる。本実施形態は、駆動データFDOとアクチュエータ３６の変位との関係が図２に示すような特性となっていることを考慮してフォーカス引き込み制御を行う。
【００２５】
図３を用いて、本実施形態によるフォーカス引き込み制御について説明する。図３に示す処理は制御部１１によって実行される。図３において、制御部１１はステップＳ１にて次の各処理を実行する。制御部１１は、サーボ回路５で用いる駆動データFDOの上限値FDO_MAXに充分大きな初期値を設定する。この初期値は、対物レンズ３１とターンテーブルとの間の距離のメカニカル誤差や、光ディスク１の面振れや反り、アクチュエータ３６の感度のばらつき等を考慮しても合焦点が記録層に必ず達するだけの値とする。また、制御部１１は、駆動データFDOの下限値FDO_MINに充分小さな値を設定する。下限値FDO_MINは、上記と同様に考慮をしても合焦点が光ディスク１の表面より必ず低い位置とするための値である。
【００２６】
制御部１１は、まず駆動データFDOに下限値FDO_MINを設定する。そして、制御部１１は、駆動データFDOの変化ステップFDO_STEPに適当なサーチ速度となる値を設定し、光ディスク１の種類に応じたレーザ光Ｌｚを点灯させる。
【００２７】
次に、制御部１１は、ステップＳ２にて、サーボ回路５を制御してアクチュエータ駆動回路６を動作させ、対物レンズ３１を駆動データFDOに対応するフォーカス高さに移動させる。制御部１１は、ステップＳ３にて、誤差検出回路４から出力される総和信号ＡＳが所定の閾値AS_THを上回っているか否かを判定する。合焦点が光ディスク１から離れた低い位置にあれば総和信号ＡＳは小さいので閾値AS_THを上回らず（NO）、制御部１１はステップＳ８の処理へと移行させる。
【００２８】
制御部１１は、ステップＳ８にて、サーボ回路５が入力されるフォーカス誤差信号Ｓfeによってフォーカス引き込み条件に合致したことを検出したか否かを判断する。合焦点が光ディスク１から離れた低い位置にあればフォーカス引き込み条件に合致しないので（NO）、制御部１１はステップＳ９の処理へと移行させる。制御部１１は、ステップＳ９にて、駆動データFDOがステップＳ１にて設定した上限値FDO_MAXに達したか否かを判定する。フォーカスサーチ開始当初は駆動データFDOが上限値FDO_MAXに達していないので（YES）、制御部１１はステップＳ１０の処理へと移行させる。制御部１１は、ステップＳ１０にて、駆動データFDOに変化ステップFDO_STEPを加算して加算したものを新たな駆動データFDOとして、ステップＳ２の処理へと移行させる。ステップＳ２では、対物レンズ３１を新たな駆動データFDOに対応するフォーカス高さに移動させる。
【００２９】
このように、制御部１１は、ステップＳ２，Ｓ８〜Ｓ１０の処理によって、光ディスク１から所定量の反射光が得られるまでは、一定周期毎に変化ステップFDO_STEPに相当する高さずつ対物レンズ３１を上昇させるフォーカスサーチ動作を行わせることになる。
【００３０】
フォーカスサーチによって合焦点が光ディスク１の表面に達すると、制御部１１は、ステップＳ３にて、総和信号ＡＳが所定の閾値AS_THを上回ると判定し（YES）、ステップＳ４の処理へと移行させる。なお、総和信号ＡＳは、対物レンズ３１と光ディスク１との間の距離が特定の距離の時点でのみ発生するのではなく、対物レンズ３１と光ディスク１との間の距離に関して比較的広範囲に発生する。従って、光ディスク１のディフェクトによって総和信号ＡＳが得られなくなってしまうということは通常起こらない。
【００３１】
制御部１１は、ステップＳ４にて、総和信号ＡＳが所定の閾値AS_THを上回ったのが最初の検出であるか否かを判定する。最初の検出でなければ（NO）、制御部１１はステップＳ８の処理へと移行させる。最初の検出であれば（YES）、制御部１１はステップＳ５の処理へと移行させる。制御部１１は、ステップＳ５にて、駆動データ変位特性テーブル１２０を参照して、その時点の駆動データFDOに対応するアクチュエータ変位X_ASを求める。制御部１１は、ステップＳ６にて、光ディスク１の表面を検出したときのアクチュエータ変位X_ASに、光ディスク１の種類に応じて決まる適正なレンズ上げ幅ΔXを加算した加算値X_LIMIT（=X_AS+ΔX）を求める。
【００３２】
そして、制御部１１は、ステップＳ７にて、駆動データ変位特性テーブル１２０を参照して、加算値X_LIMITに対応する制限値FDO_LIMITを求めて、サーボ回路５に設定しておいた上限値FDO_MAXを制限値FDO_LIMITへと書き換える。以上のようにして、光ディスク１の表面を検出したときのアクチュエータ変位X_ASに応じた適切なサーチ範囲上限が設定されることとなる。
【００３３】
その後、ステップＳ８にて、フォーカス引き込み条件に合致したと判定されると、制御部１１は、ステップＳ１１にて、フォーカスループを閉じてフォーカス制御状態に移行させるようサーボ回路５を制御する。
【００３４】
ところで、フォーカスループを閉じる際に必須となるフォーカス誤差信号Ｓfeは、総和信号ＡＳと比べて対物レンズ３１と光ディスク１との間の距離に関してごく狭い範囲でしか発生しない。従って、合焦点がちょうど記録層に近付いたタイミングでディフェクトに差し掛かかったとするとフォーカス誤差信号Ｓfeが欠落する場合がある。その場合、ステップＳ８にてフォーカス引き込み条件に合致しないという判定が続いてフォーカスサーチが継続され、その後、ステップＳ９にて駆動データFDOが上限値FDO_MAXに達したと判定されて終了する。この場合、フォーカス引き込み制御は失敗となる。
【００３５】
ディフェクトによってフォーカス引き込み制御が失敗するのは原理的に避けることができないが、本実施形態では、フォーカス引き込み制御が失敗する場合であってもサーチ範囲上限が制限値FDO_LIMITに設定されているので、対物レンズ３１が光ディスク１に衝突することを回避することができる。
【００３６】
以上の説明より分かるように、制御部１１は、レーザ光Ｌｚの合焦点が光ディスク１の表面に達したことを検出する検出部として動作している。制御部１１は、光検出器３５からの光検出信号の総和信号ＡＳに基づいてレーザ光Ｌｚの合焦点が光ディスク１の表面に達したことを検出している。また、制御部１１は、レーザ光Ｌｚの合焦点が光ディスク１の表面に達したことを検出したときの駆動データFDOに対応するアクチュエータ３６の変位の値X_ASを、駆動データ変位特性テーブル１２０を参照して求めると共に、変位の値X_ASに所定の値ΔXを加算した加算値X_LIMITに対応する駆動データFDO_LIMITを駆動データ変位特性テーブル１２０を参照して求め、対物レンズ３１を光ディスク１に近付ける際の上限値FDO_MAXとして設定する設定部として動作している。
【００３７】
サーボ回路５，アクチュエータ駆動回路６，制御部１１は、上記の上限値を上限としてアクチュエータ３６によって対物レンズ３１を変位させて、フォーカスサーチを実行させるフォーカスサーチ実行部して動作している。
【００３８】
＜変形例＞
上述した本実施形態は、フォーカス引き込み制御を例にしたものである。本実施形態における特徴となる処理は、フォーカス誤差信号Ｓfe等の各種誤差信号の振幅測定や、ゲイン調整等におけるフォーカスサーチにも応用することができる。フォーカス誤差信号Ｓfeの振幅を測定する場合の動作を変形例として説明する。
【００３９】
図４に示す変形例において、図３と同一のステップには同一の符号を付し、その説明を省略することとする。図４において、制御部１１は、ステップＳ１８にて、フォーカス誤差信号Ｓfeが予め検出されていたフォーカス誤差信号Ｓfeの最大値であるFE_MAX以上であればFE_MAXを更新し、予め検出されていたフォーカス誤差信号Ｓfeの最小値であるFE_MIN以下であればFE_MINを更新する。制御部１１は、ステップＳ２１にて、FE_MAXからFE_MINを減算してフォーカス誤差信号Ｓfeの振幅を求める。
【００４０】
＜比較例＞
ここで、本実施形態と比較するための比較例として、光ディスク駆動装置において従来から行われているフォーカス引き込み制御の概略について説明する。説明の都合上、図１を用いて説明する。制御部１１は、サーボ回路５への設定によって、対物レンズ３１が光ディスク１から遠ざかる方向のフォーカス駆動電圧を出力させて、面振れがあったとしても合焦点が完全に光ディスク１の表面から離れた位置となるように対物レンズ３１を移動させる。
【００４１】
光ディスク１の種類に応じたレーザ光Ｌｚを点灯させ、対物レンズ３１を光ディスク１に近付ける方向に動かすために、サーボ回路５への設定によって上向きのフォーカス駆動電圧を出力させる。対物レンズ３１を光ディスク１に順次近付けていき、フォーカスサーチ動作を行わせる。その間に合焦点が記録層に達し、反射光から得られるフォーカス誤差信号Ｓfeがフォーカスループオンの条件に合致した場合はフォーカスループを閉じてフォーカス制御を開始する。
【００４２】
フォーカスサーチ動作の際、ディフェクトによってフォーカス誤差信号Ｓfeが出力されない場合には、フォーカスループオンの条件に至らないまま合焦点が記録層を通り過ぎる。対物レンズ３１は、予め設定したフォーカスサーチ範囲の上限に達するまで光ディスク１に近付いてしまう。フォーカスサーチ範囲の上限が低すぎるとディフェクトがない場合でも合焦点が記録層に届かず、フォーカスループオンの条件が満たされなくなるので、上限をある程度以上高く設定する必要がある。しなしながら、上限が高すぎると対物レンズ３１が光ディスク１に衝突するおそれが生じる。
【００４３】
光ディスク１がＣＤとＤＶＤのみの場合には、対物レンズ３１とターンテーブルとの間の距離のメカニカル誤差や、光ディスク１の面振れや反り、アクチュエータ３６の感度のばらつき等を考慮しても、対物レンズ３１が光ディスク１に衝突せず、合焦点が記録層に届くフォーカスサーチ範囲の上限を設定することは比較的容易であった。しかしながら、ＢＤ用のレーザ光Ｌｚを集光させる対物レンズは通常ＣＤ，ＤＶＤ用のレーザ光Ｌｚを集光させる対物レンズよりも光ディスク１に近い位置に固定されている。従って、対物レンズ３１が光ディスク１に衝突しやすく、過不足のないフォーカスサーチ範囲の上限を設定することが難しい。
【００４４】
そこで、ＣＤとＤＶＤの場合には、フォーカスサーチ範囲の上限を低めに設定してフォーカスの引き込みを失敗したときには上限を徐々に上げていくことが行われていた。また、ＢＤであれば、合焦点が光ディスク１の表面に達した後に対物レンズ３１を一定量だけ光ディスク１に近付け、対物レンズ３１を光ディスク１から遠ざける際にフォーカス引き込み制御を行っていた。しなしなら、前者の上限を徐々に上げていく方法はフォーカス引き込みに多くの時間がかかるので好ましくない。後者の対物レンズ３１を光ディスク１に近付け、遠ざける際にフォーカス引き込み制御を行う方法は、ＢＤに対して有効であったとしても、ＣＤとＤＶＤの場合に用いると、アクチュエータ３６の変位特性がリニアでないことから、対物レンズ３１が光ディスク１に衝突したり、合焦点が記録層に到達しなかったりする場合がある。
【００４５】
これに対して、本実施形態においては、先に詳述したように、駆動データ変位特性テーブル１２０を参照することによって、光ディスク１の表面を検出したときの駆動データFDOに基づいてその駆動データFDOに対応したアクチュエータ変位X_ASを求める。そして、そのアクチュエータ変位X_ASに適正なレンズ上げ幅ΔXを加算して加算値X_LIMITを求め、この加算値X_LIMITに対応する制限値FDO_LIMITを、駆動データ変位特性テーブル１２０を参照して求める。上限値FDO_MAXを制限値FDO_LIMITで書き換えて、制限値FDO_LIMITを新たな駆動データFDOの上限値として設定する。
【００４６】
従って、本実施形態によれば、駆動データ変位特性テーブル１２０を用いることにより、光ディスク１の種類によらず、対物レンズ３１が光ディスク１に衝突することを回避でき、合焦点を記録層に確実に到達させることができる。
【００４７】
本発明は以上説明した本実施形態に限定されることはなく、本発明の要旨を逸脱しない範囲において種々変更可能である。
【符号の説明】
【００４８】
１  光ディスク
３  光ピックアップ
４  誤差検出回路
５  サーボ回路（フォーカスサーチ実行部）
６  アクチュエータ駆動回路（フォーカスサーチ実行部）
１１  制御部（検出部，設定部，フォーカスサーチ実行部）
１２  不揮発性メモリ（テーブル保持部）
３１  対物レンズ
３２  ＣＤレーザ発光部
３３  ＤＶＤレーザ発光部
３４  ＢＤレーザ発光部
３５  光検出器
３６  アクチュエータ
１２０  駆動データ変位特性テーブル
【図１】
2012243342.tif 000003
【図２】
2012243342.tif 000004
【図３】
2012243342.tif 000005
【図４】
2012243342.tif 000006